(57)【要約】【課題】光ファイバ同士の切替接続用の光コネクタが複数配列設置された成端ユニットを具備する前面（片面）作業形の光配線盤において、該光配線盤に引き込んだ光ファイバを成端ユニットの光ファイバに融着接続して、成端ユニットの光コネクタによってコネクタ接続可能とする作業を効率良く行えるようにする。【解決手段】光コネクタ３１が設けられたコネクタモジュール３３の下側に融着トレー３５を配置した構成の成端ユニット３が上下多段に設けられ、前記融着トレー３５に引き込んでおいたコネクタモジュール３３の光ファイバ３２と、光ファイバケーブルの光ファイバ４１との融着接続部を融着トレー３５に収納できる光配線盤１を提供する。【選択図】図３
2008224893.tif 000002
【特許請求の範囲】
【請求項１】
光コネクタ（３１、３１１、３２４）が設けられたコネクタモジュール（３３）を上部に、光ファイバ同士の融着接続部（３４）の収納用の融着トレー（３５）を下部に配置した構成の成端ユニット（３）が上下多段に設けられ、
前記成端ユニットの前記コネクタモジュールは、前面側に前記光コネクタが複数配列設置され、背面側から、前記光コネクタによってコネクタ接続可能に成端された光ファイバ（３２）が延出されていて、該光ファイバの前記コネクタモジュールから延出された端部が前記融着トレー内に引き込まれて収納され、
前記融着トレーは、前記コネクタモジュールから引き込まれた光ファイバである接続用光ファイバ（３２）と、該融着トレーに別途引き込んで前記接続用光ファイバと接続する光ファイバである導入光ファイバ（４１）との融着接続部（３４）を収納可能であることを特徴とする光配線盤（１、１Ａ）。
【請求項２】
成端ユニットの融着トレーは、コネクタモジュールの下に複数積層して設けられ、それぞれ、成端ユニット前面側に引き出し可能になっていることを特徴とする請求項１の光配線盤。
【請求項３】
融着トレーは、前記コネクタモジュールから引き込まれた前記接続用光ファイバの内の、前記導入光ファイバと接続していない保留光ファイバ（３２ａ１）を収納する未接続ファイバ収納空間（３５３ａ）と、融着接続によって互いに接続された接続用光ファイバ及び導入光ファイバを収納する現用ファイバ収納空間（３５３ｂ）と、前記融着接続部を保持する融着部ホルダ（８）とを具備し、
前記未接続ファイバ収納空間と前記現用ファイバ収納空間とは、前記融着トレーの底板（３５１）上の互いに異なる位置に確保されていることを特徴とする請求項１又は２記載の光配線盤。
【請求項４】
融着トレーには、コネクタモジュールから導入される接続用光ファイバ用のファイバガイド（７）が着脱可能に取り付けられるファイバガイド取付部（３５６）と、融着部ホルダが着脱可能に取り付けられる融着部ホルダ取付部（３５７）とが、それぞれ、左右方向に離隔した２カ所に設けられ、前記ファイバガイド及び前記融着部ホルダの左右移設が可能であることを特徴とする請求項１〜３のいずれかに記載の光配線盤。
【請求項５】
前記ファイバガイドは細長形状に形成されており、
前記未接続ファイバ収納空間と前記現用ファイバ収納空間とが、前記ファイバガイド取付部に取り付けて前記融着トレーの底板（３５１）上に成端ユニット前後方向に延在するように設けられた前記ファイバガイドによって区分けされることを特徴とする請求項４記載の光配線盤。
【請求項６】
前記接続用光ファイバは、多心テープファイバ部（３２１）と、この多心テープファイバ部の片端を複数に分岐した分岐ファイバ部（３２２）とを具備し、各分岐ファイバ部の先端が前記光コネクタによってコネクタ接続可能とされており、
前記接続用光ファイバの多心テープファイバ部に、前記導入光ファイバである多心光ファイバテープ心線が融着接続されることを特徴とする請求項１〜５のいずれかに記載の光配線盤。
【発明の詳細な説明】
【技術分野】
【０００１】
本発明は、光配線盤に係り、特に、光ファイバを別の光ファイバとコネクタ接続可能にした光コネクタが複数配列設置されていて、前記光コネクタに対する別の光ファイバのコネクタ接続を、前後方向片側（前面側）から行えるようになっている光配線盤に関する。
【背景技術】
【０００２】
例えば、光ファイバケーブルから露出された多数本の光ファイバと、伝送装置側の光ファイバとの切替接続（コネクタ接続）等に用いられる光配線盤としては、光コネクタが複数配列設置されたコネクタ配列部を具備し、該光配線盤に導入した光ファイバ（例えば、上述の光ファイバケーブルの光ファイバ。以下、導入光ファイバ）を、前記コネクタ配列部の光コネクタが片端に取り付けられた光ファイバ（以下、融着用光ファイバ）の前記光コネクタとは反対側の端部に融着接続することで、融着用光ファイバを介して、前記導入光ファイバと、前記コネクタ配列部の複数の光コネクタに対して切替可能にコネクタ接続される光ファイバ（以下、切替用光ファイバ）とのコネクタ接続を可能とする、構成のものが広く普及している。
【０００３】
ところで、光配線盤としては、前記コネクタ配列部の光コネクタに対する切替用光ファイバのコネクタ接続、該光配線盤内への光ファイバの引き込み、配線、等の作業を、該光配線盤の前後方向片側（前面側）から行える、いわゆる前面作業形（片面作業形とも呼ばれる）のものがある（例えば、特許文献１、２）。前面作業形光配線盤は、配線盤の前後方向の一方の側（前面側）から、光ファイバ（導入光ファイバ）の引き込み、導入光ファイバと融着用光ファイバとの融着接続部の収納作業を、他方の側（背面側）から前記コネクタ配列部の光コネクタに対する切替用光ファイバのコネクタ接続作業を行うようになっている、いわゆる両面作業形光配線盤に比べて、作業スペースの確保が前後方向片側のみで済むため、設置スペースの省スペース化が可能であるという利点がある。
【０００４】
前面作業形光配線盤としては、例えば特許文献１、２のように、外観薄板状に形成されたケース状の光モジュールを縦置きにして横並びに複数配列して収納した構成の成端ユニットを、上下多段に設けた構成のものが知られている。
成端ユニットの光モジュールは、光配線盤の前後方向片側（前面側）から成端ユニットに挿脱できる。成端ユニットから光モジュールを引き出せる側が前面側である。また、成端ユニットにおいては、該成端ユニットに収納された各光モジュールの前面側の端部に取り付けられている光コネクタが、複数配列される。光モジュールの内部には、前記光コネクタに接続された光ファイバ（モジュール側光ファイバ）が収納されている。このモジュール側光ファイバは、光配線盤前面側から前記光コネクタに接続される別の光ファイバとコネクタ接続可能になっている。この光配線盤では、光モジュールの光コネクタに接続可能な光コネクタが先端に取り付けられている光ファイバ（切替用光ファイバ）を引き込み、この切替用光ファイバの先端の光コネクタを光モジュールの光コネクタに接続することで、切替用光ファイバとモジュール側光ファイバとを接続できる。切替用光ファイバ先端の光コネクタは、光モジュールの光コネクタに対して着脱可能であり、成端ユニットに複数配列された光コネクタ（光モジュールの光コネクタ）に対する切替用光ファイバの接続を切り替えることで、切替用光ファイバとモジュール側光ファイバとの切替接続が実現される。
この種の光配線盤（前記光モジュールを収納した成端ユニットを具備する構成の光配線盤）にあっては、該光配線盤に導入した光ファイバ（導入光ファイバ）を、モジュール側光ファイバに融着接続する（モジュール側光ファイバにおける、光モジュールの光コネクタとは反対側の端部に融着接続する）ことで、導入光ファイバを、光モジュールの光コネクタによって切替用光ファイバに対してコネクタ接続可能とすることができる。モジュール側光ファイバは、融着用光ファイバとして機能する。この場合、モジュール側光ファイバと導入光ファイバとの融着接続部を、融着接続した両光ファイバの余長とともに、光モジュール内に収納することが広く行われている。
【特許文献１】特開２００１−００４８４９号公報
【特許文献２】特開２００１−１３３６３６号公報
【発明の開示】
【発明が解決しようとする課題】
【０００５】
しかしながら、上述のように、光モジュール内に融着接続部を収納する形態では、成端ユニットから光モジュールを取り出して、光モジュールを開放し、光モジュール内に収納されているモジュール側光ファイバを引き出して、モジュール側光ファイバに導入光ファイバを融着接続し、接続完了後、融着接続部を余長とともに収納した光モジュールを成端ユニットに収納する、といった作業が必要であり、作業効率の向上には限界がある。複数の光モジュールのモジュール側光ファイバについて、導入光ファイバの融着接続を行う場合は、作業対象のモジュール側光ファイバが収納されている各光モジュールについて、それぞれ、上述の作業を行う必要があり、作業に手間が掛かる。
また、光モジュールの、成端ユニットからの取り出し、再収納の際には、成端ユニットの前面側に配線されている既設の切替用光ファイバに不用意に触れて曲げを与えてしまう、といった不都合を回避するために、注意を払いつつ作業を行う必要がある。
【０００６】
本発明は、前記課題に鑑みて、前面作業形の光配線盤において、配線盤内に導入した導入光ファイバと、コネクタモジュールの光ファイバ（接続用光ファイバ）との融着接続、融着接続部の収納を効率良く行える光配線盤の提供を目的としている。
【課題を解決するための手段】
【０００７】
上記課題を解決するために、本発明では以下の構成を提供する。
第１の発明では、光コネクタが設けられたコネクタモジュールを上部に、光ファイバ同士の融着接続部の収納用の融着トレーを下部に配置した構成の成端ユニットが上下多段に設けられ、前記成端ユニットの前記コネクタモジュールは、前面側に前記光コネクタが複数配列設置され、背面側から、前記光コネクタによってコネクタ接続可能に成端された光ファイバが延出されていて、該光ファイバの前記コネクタモジュールから延出された端部が前記融着トレー内に引き込まれて収納され、前記融着トレーは、前記コネクタモジュールから引き込まれた光ファイバである接続用光ファイバと、該融着トレーに別途引き込んで前記接続用光ファイバと接続する光ファイバである導入光ファイバとの融着接続部を収納可能であることを特徴とする光配線盤を提供する。
第２の発明では、成端ユニットの融着トレーは、コネクタモジュールの下に複数積層して設けられ、それぞれ、成端ユニット前面側に引き出し可能になっていることを特徴とする第１の発明の光配線盤を提供する。
第３の発明では、融着トレーは、前記コネクタモジュールから引き込まれた前記接続用光ファイバの内の、前記導入光ファイバと接続していない保留光ファイバを収納する未接続ファイバ収納空間と、融着接続によって互いに接続された接続用光ファイバ及び導入光ファイバを収納する現用ファイバ収納空間と、前記融着接続部を保持する融着部ホルダとを具備し、前記未接続ファイバ収納空間と前記現用ファイバ収納空間とは、前記融着トレーの底板上の互いに異なる位置に確保されていることを特徴とする第１又は第２の発明の光配線盤を提供する。
第４の発明では、融着トレーには、コネクタモジュールから導入される接続用光ファイバ用のファイバガイドが着脱可能に取り付けられるファイバガイド取付部と、融着部ホルダが着脱可能に取り付けられる融着部ホルダ取付部とが、それぞれ、左右方向に離隔した２カ所に設けられ、前記ファイバガイド及び前記融着部ホルダの左右移設が可能であることを特徴とする第１〜３のいずれかの発明の光配線盤を提供する。
第５の発明では、前記ファイバガイドは細長形状に形成されており、前記未接続ファイバ収納空間と前記現用ファイバ収納空間とが、前記ファイバガイド取付部に取り付けて前記融着トレーの底板上に成端ユニット前後方向に延在するように設けられた前記ファイバガイドによって区分けされることを特徴とする第４の発明の光配線盤を提供する。
第６の発明では、前記接続用光ファイバは、多心テープファイバ部と、この多心テープファイバ部の片端を複数に分岐した分岐ファイバ部とを具備し、各分岐ファイバ部の先端が前記光コネクタによってコネクタ接続可能とされており、前記接続用光ファイバの多心テープファイバ部に、前記導入光ファイバである多心光ファイバテープ心線が融着接続されることを特徴とする第１〜５のいずれかの発明の光配線盤を提供する。
【発明の効果】
【０００８】
本発明に係る光配線盤では、コネクタモジュールから延出された光ファイバ（接続用光ファイバ）の端部に、導入光ファイバを融着接続することで、導入光ファイバが、接続用光ファイバを介して、コネクタモジュールの光コネクタに接続される別の光ファイバに対して、コネクタ接続可能となる。
本発明に係る光配線盤の成端ユニットは、コネクタモジュール下の融着トレーに接続用光ファイバを引き込んである構造であり、融着トレーに引き込んである接続用光ファイバに導入光ファイバを融着接続すれば良いので、融着トレーからの接続用光ファイバの取り出し、融着トレーへの融着接続部の収納等の作業の際に、コネクタモジュールには触れる必要が無い。このため、接続用光ファイバに対する導入光ファイバの融着接続、融着接続部の収納を、非常に簡単に行え、作業効率を向上できる。
また、本発明に係る光配線盤は、上記成端ユニットが上下多段に積層された構造であるため、対応心数、融着接続部の収納数は複数の成端ユニットに分散される。各成端ユニットの融着トレーにおける融着接続部の収納数は、例えば、配線盤内に設けたひとつの融着トレーに該光配線盤の対応心数全心の融着接続部を一括収納する場合に比べて少なくて済む。このため、本発明に係る光配線盤では、回線対照性も容易に確保できる。
【発明を実施するための最良の形態】
【０００９】
以下、本発明を実施した光配線盤について、図面を参照して説明する。
図１は本発明に係る光配線盤１を示す正面図、図２は図１の光配線盤１の成端ユニット３を示す正面図、図３は前記成端ユニット３を示す側面図、図４は光配線盤１の平断面図であり、光配線盤１及び成端ユニット３の構造を示す図、図５は図４の成端ユニット３の融着トレー収納部３６の構造を示す平面図である。
なお、図１〜図３において上側を「上」、下側を「下」として説明する。図３における左側、図４、図５における下側を「前」、図３における右側、図４、図５における上側を「後」として説明する。図１、図２においては、紙面手前側が「前」、紙面奥側が「後」である。また、図１、図２においては、左側を「左」、右側を「右」として説明する。
また、光配線盤１について、前側を「前面側」、後側を「背面側」として説明する。
また、光配線盤１の左右方向（図１、図２における左右方向）については、「横方向」と称して説明する場合がある。
【００１０】
図１、図２に示すように、前記光配線盤１は、ラック２内に、成端ユニット３を上下多段に設置した概略構成になっている。
ラック２は、底板部２１と、左右の側壁２２ａ、２２ｂと、天井部２３とからなる四角枠状のフレーム部２４を具備する。フレーム部２４の背面側には背面板２５が固定されている。背面板２５は、フレーム部２４の背面側を塞ぐように設けられている。フレーム部２４の前面側は開閉扉（図示略）によって開閉される。
前記成端ユニット３は、前記背面板２５に取り付けて、フレーム部２４の内側空間２６（以下、ラック２の内側空間とも言う）に上下多段に設けられている。また、成端ユニット３を上下多段に設置してなるユニット積層部３Ａと、ラック２の左右両側の側壁２２ａ、２２ｂとの間には、それぞれ、光ファイバの配線用の配線用空間２７ａ、２７ｂが確保されている。配線用空間２７ａ、２７ｂは、ユニット積層部３Ａを介して両側にある。なお、区別のため、２つの配線用空間２７ａ、２７ｂの内、図１においてユニット積層部３Ａを介して左側の配線用空間２７ａを第１配線用空間、右側の配線用空間２７ｂを第２配線用空間と称して説明する場合がある。
【００１１】
光配線盤１において、前記成端ユニット３は、光配線盤１内（ラック２内側）に引き込まれた光ファイバケーブル４から露出されている光ファイバ４１を、光コネクタ３１によって、別の光ファイバ（例えば、後述のジャンパ用光ファイバ、装置側光ファイバ）とコネクタ接続可能とする機能を果たす。
図３等に示すように、図示例の光配線盤１の成端ユニット３は、前面側のコネクタパネル３３ｂに実装された光コネクタアダプタ３１１に、片端に光コネクタ３２４（光コネクタプラグ）が取り付けられている光ファイバ３２（以下、接続用光ファイバとも言う）の前記光コネクタ３２４を、背面側から接続した構造になっている。
ここで、前記光コネクタ３１は、光コネクタ３２４を光コネクタアダプタ３１１に接続したものである。
接続用光ファイバ３２の前記光コネクタ３２４とは反対側の端部に、光ファイバケーブル４の光ファイバ４１が融着接続されることで、光ファイバ４１が、光コネクタ３１によって、別の光ファイバ（例えば、後述のジャンパ用光ファイバ、装置側光ファイバ）とコネクタ接続可能となる。
【００１２】
図１において、前記光ファイバケーブル４は、第２配線用空間２７ｂに引き込まれている。図１中、符号２８ａは、光ファイバケーブル４を把持固定するケーブル把持部品、符号２８ｂは、光ファイバケーブル４の端末に露出されたテンションメンバ４２を固定するテンションメンバ固定部品２８ｂである。ケーブル把持部品２８ａとテンションメンバ固定部品２８ｂとは、ラック２（具体的には側壁２２ｂ）に取り付けて第２配線用空間２７ｂに設置されており、光ファイバケーブル４は、これらケーブル固定部品（ケーブル把持部品２８ａとテンションメンバ固定部品２８ｂ）によってラック２に固定されている。  なお、ケーブル固定部品（ケーブル把持部品２８ａとテンションメンバ固定部品２８ｂとの組）は、ラック２の側壁２２ｂに多数設置されている。図示例の光配線盤１では、図５に示すように、ケーブル固定部品（図５ではテンションメンバ固定部品２８ｂ）をラック２の前後方向に複数集合設置したケーブル固定部品設置部２８が、上下方向の複数箇所（図１の例では３カ所）に設けられている。
【００１３】
図１において、光ファイバケーブル４の光ファイバ４１（以下、ケーブル側光ファイバとも言う）は、光ファイバケーブル４の端末から延出されており、第２配線用空間２７ｂ内での引き回しによって、目的の成端ユニット３に引き込み配線される。
図１、図４において、符号２９ａはファイバガイド、符号２９ｂはファイバ保持部品である。ファイバ保持部品２９ｂ及びファイバガイド２９ａは第２配線用空間２７ｂに設けられており、第２配線用空間２７ｂ内での光ファイバ４１の引き回しに利用される。ファイバ保持部品２９ｂは、内側に光ファイバ４１が通されるＣ形に形成された部材であり、ラック２の背面板２５の上下方向の複数箇所に取り付けられている。ファイバガイド２９ａは、ラック２の側壁２２ｂの上下方向複数箇所に取り付けられている。光ファイバケーブル４の端末から延出された光ファイバ４１は、ファイバガイド２９ａ上に引っ掛けて、先端を、ファイバガイド２９ａよりも下側に位置する成端ユニット３に引き込む。但し、光ファイバ４１は、ファイバガイド２９ａに引っ掛けた部分から先端側をファイバ保持部品２９ｂに通す。ファイバ保持部品２９ｂには、光ファイバケーブル４から成端ユニット３まで引き込み配線した光ファイバ４１の内、該光ファイバ４１の先端を引き込んだ成端ユニット３と該光ファイバ４１を引っ掛けたファイバガイド２９ａとの間に位置する部分が通される。これにより、ファイバガイド２９ａと成端ユニット３との間に配線される多数本の光ファイバ４１がファイバ保持部品２９ｂによって集束され、第２配線用空間２７ｂ内には、ファイバ保持部品２９ｂによって複数本の光ファイバ４１を集束したファイバ束が、上下方向に延在するように形成される。ファイバ保持部品２９ｂは、Ｃ字の開口部を拡張するように弾性変形させることで、開口部を介して、光ファイバ４１を内外に自由に移動させることができる。ファイバ保持部品２９ｂの開口部を拡張させる弾性変形の解除によって、開口部が狭くなる（あるいは閉じられる）と、光ファイバ４１が開口部を通過できなくなり、ファイバ保持部品２９ｂの内側に収納されている光ファイバ４１のファイバ保持部品２９ｂからの離脱が規制される、収納状態が維持される。
【００１４】
前記光ファイバ４１は、本発明に係る導入光ファイバとして機能するものであり（以下、導入光ファイバ４１とも言う）、成端ユニット３に引き込まれた先端が、成端ユニット３に設けられている接続用光ファイバ３２と融着接続される。
図３、図４に示すように、接続用光ファイバ３２の片端には、成端モジュール３の光コネクタ３１が取り付けられている。接続用光ファイバ３２の光コネクタ３１とは反対側の端部に導入光ファイバ４１の先端を融着接続すると、実質的に、導入光ファイバ４１の先端に光コネクタ３１が設けられた状態、すなわち、光コネクタ３１によってコネクタ接続可能に成端（以下、コネクタ成端とも言う）された状態となる。
なお、本明細書では、コネクタ成端済みの接続用光ファイバ３２に導入光ファイバ４１を融着接続して、実質的に、導入光ファイバ４１の先端に光コネクタ３１が設けられた状態とすることも、コネクタ成端、に含むものとして説明する。
【００１５】
図２、図３、図４に示すように、成端ユニット３は、前面側に光コネクタ３１が複数配列設置されたボックス状のモジュール本体３３ａを有するコネクタモジュール３３と、このコネクタモジュール３３の下側に設置され、光ファイバ３２、４１同士の融着接続部３４を収納する融着トレー３５が設けられた融着トレー収納部３６と、コネクタモジュール３３の下部にて該コネクタモジュール３３の前面側に突設され、コネクタモジュール３３の左右方向（横方向）全体にわたって延在する配線棚３７と、コネクタモジュール３３と融着トレー収納部３６とからなるユニット本体３８の左右方向片側の側部（図１〜図４に示した例では、第１配線用空間２７ａ側の側部）に設けられた配線ステージ３９（後述）とを具備して構成されている。
【００１６】
コネクタモジュール３３は、光コネクタ３１が複数配列設置されたコネクタパネル３３ｂが前面側に設けられたボックス状のモジュール本体３３ａと、モジュール本体３３ａ内に配線された前記接続用光ファイバ３２とを具備する。
図示例のコネクタモジュール３３では、前面側に、複数のコネクタパネル３３ｂを横並びに設置しているが、コネクタモジュール３３の前面側の全ての光コネクタ３１が取り付けられた１枚のコネクタパネルをコネクタモジュール３３の前面側に取り付けた構成も採用可能であることは言うまでも無い。
接続用光ファイバ３２は、片端が前記光コネクタ３１によってコネクタ接続可能に成端されているコネクタ付き光ファイバである。図４に示すように、この接続用光ファイバ３２の、前記光コネクタ３１とは反対側の端部は、モジュール本体３３ａの底板部３３ｃに開口されているファイバ挿通孔３３ｄからモジュール本体３３ａの下側に延出されて、融着トレー収納部３６に引き込まれている。
【００１７】
図２、図３に示すように、融着トレー収納部３６は、互いに離隔して設けられた一対の側板３６１の間に、融着トレー３５を収納した構成になっている。この融着トレー収納部３６は、ユニット本体３８においてコネクタモジュール３３のモジュール本体３３ａの下側に設けられた支持部材３８１に取り付けて、モジュール本体３３ａの下側に設けられている。図示例の成端ユニット３において、前記支持部材３８１は、具体的には、モジュール本体３３ａの下側に、モジュール本体３３ａから離隔させて設置された棚（以下、支持部材３８１を「棚３８１」として説明する場合がある）であり、融着トレー収納部３６は、棚３８１上に設置して、モジュール本体３３ａと棚３８１との間に確保された空間３８２内に収納してある。
【００１８】
融着トレー収納部３６の一対の側板３６１は、融着トレー３５の前後動を案内するガイド部材として機能する。融着トレー３５は、一対の側板３６１によって案内されながら、融着トレー収納部３６の前面側に引き出すことができる。また、融着トレー収納部３６の前面側に引き出された融着トレー３５は、光配線盤１の背面側に向かって押圧するようにして、融着トレー収納部３６に収納（再収納）できる。
図示例の成端ユニット３の融着トレー収納部３６は、一対の側板３６１の間に、複数の融着トレー３５を上下多段に収納している。各融着トレー３５は、それぞれ側板３６１に案内されながら、前面側への引き出し操作を個別に行える。再収納も個別に行える。
【００１９】
図７等に示すように、融着トレー３５は、底板３５１の外周部上に該底板３５１から立ち上げられた周囲壁３５２が周設された構造であり、底板３５１の上面３５１ａ（周囲壁３５２によって取り囲まれる内側空間３５３に臨む面）上に、周囲壁３５２によって取り囲まれる内側空間３５３が存在する向き、換言すれば、内側空間３５３の上部開口部（詳細には、底板部３５１周囲壁３５２の底板３５１からの突出先端で取り囲まれる内側）が上となる向きで、融着トレー収納部３６に収納される。
融着トレー収納部３６の各融着トレー３５には、接続用光ファイバ３２のコネクタモジュール３３から延出された部分（以下、融着用ピグテイル３２ａとも言う）の端部が引き込まれ、接続用光ファイバ３２の余長が収納されている。融着トレー３５を融着トレー収納部３６から前面側に引き出すと、融着トレー３５内（詳細には内部空間３５３内）に収納されている接続用光ファイバ３２の、融着トレー３５からの取り出し、再収納が可能である。
【００２０】
なお、成端ユニット３のユニット本体３８の前面側に突設されている配線棚３７は、融着トレー収納部３６よりも上側に設けられている。各成端ユニット３において、コネクタモジュール３３の前面側の光コネクタ３１は、配線棚３７よりも上側に設置されている。
【００２１】
また、図３、図４に例示した成端ユニット３の配線棚３７は、ヒンジ３７３によって、ユニット本体３８の前側に上下回転可能に枢着された棚板３７１と、この棚板３７１のヒンジ３７３とは反対側の端部に立設されたファイバ脱落防止壁３７２とを具備するＬ字板状に形成されている。前記ヒンジ３７３は、具体的には、ユニット本体３８の前側に突設された台板３８３の前端に設けられている。符号３７４は、配線棚３７の棚板３７１と台板３８３との境界部（ヒンジ３７３を含む）上を覆う柔軟性シートである。
前記配線棚３７は、回転によって、棚板３７１の上面が水平（あるいは、ほぼ水平）となる位置（以下、「通常使用位置３７Ａ」）と、棚板３７１上面がユニット本体３８から前側へ斜め下方に傾斜した状態となる傾斜支持位置３７Ｂとを切り換えることができる。傾斜支持位置３７Ｂは、通常支持位置３７Ａよりも下方に位置する。成端ユニット３には、通常使用位置３７Ａ、傾斜支持位置３７Ｂに、配線棚３７を支持するための、配線棚支持手段を設けることが好ましい。配線棚支持手段としては、例えば、回転抵抗によって適宜、所望位置で配線棚３７を停止させることができるようにしたヒンジ３７３（いわゆるダンパーヒンジ等）や、配線棚３７の回転軌跡に出没可能なストッパ片等を採用できる。配線棚３７を傾斜支持位置３７Ｂに位置させれば、配線棚３７とコネクタモジュール３３との間のスペースが拡がるため、コネクタモジュール３３の光コネクタ３１に接続されるジャンパ用光ファイバ５や外部光ファイバ６の先端の光コネクタ（光コネクタプラグ）のコネクタモジュール３３の光コネクタ３１に対する着脱、配線棚３７に対する光ファイバ（ジャンパ用光ファイバ５、外部光ファイバ６）の収納及び取り出しといった作業を、光配線盤１の前面側（成端ユニット３の前面側）から、楽に行えるようになり、作業性を向上できる。
【００２２】
本発明に係る光配線盤の成端ユニットの配線棚としては、必ずしも、上下回転可能なものである必要は無く、成端ユニット３に固定のものであっても良い。
【００２３】
この光配線盤１にあっては、該光配線盤１内に配線したジャンパ用光ファイバ５を介して、光配線盤１に引き込んだ光ファイバケーブル４の光ファイバ同士の切替接続を１心単位で実現できる。
前記光ファイバケーブル４の光ファイバ４１は、成端ユニット３の融着トレー３５に引き込まれている接続用光ファイバ３２の端部と融着接続することで、接続用光ファイバ３２を介して、成端ユニット３の光コネクタ３１によってコネクタ接続可能となる（コネクタ成端される）。光ファイバケーブル４の光ファイバ４１と接続用光ファイバ３２との融着接続部３４は、融着トレー３５に収納する。
【００２４】
図６に示すように、ジャンパ用光ファイバ５は、ここでは、光ファイバ５１（光ファイバコード）の長手方向両端に光コネクタ５２を取り付けた構造の、単心の光ファイバコード（いわゆるジャンパコード）である。両端の光コネクタ５２は、成端ユニット３の光コネクタ３１に、成端ユニット３の前側から着脱可能に接続できる。光コネクタ５２を成端ユニット３の光コネクタ３１に接続すると、成端ユニット３の接続用光ファイバ３２とジャンパ用光ファイバ５の光ファイバ５１とのコネクタ接続が実現される。ジャンパ用光ファイバ５の両端の光コネクタ５２を、それぞれ、成端ユニット３の、ケーブル側光ファイバ４１をコネクタ成端している光コネクタ３１に接続することで、光ファイバケーブル４の光ファイバ４１同士を、ジャンパ用光ファイバ５を介して光接続することができる。
【００２５】
図６に示すように、本実施形態にて採用している接続用光ファイバ３２は、具体的には、多心テープファイバ部３２１と、この多心テープファイバ部３２１の長手方向片端を複数本に単心分岐した分岐ファイバ部３２２とを具備した構造になっている。符号３３３は、多心テープファイバ部３２１の長手方向片端を複数本の分岐ファイバ部３２２に単心分岐した分岐部である。
【００２６】
各分岐ファイバ部３２２の先端は、光コネクタ３３４（光コネクタプラグ）によってコネクタ接続可能に成端されている。光コネクタ３４４は、単心用光コネクタプラグであり、例えばＳＣ形光コネクタ（ＪＩＳ  Ｃ  ５９７３に制定されるＦ０４形光コネクタ。ＳＣ：Single fiberCoupling optical fiber connector）、ＭＵ形光コネクタ（ＪＩＳ  Ｃ  ５９８３に制定されるＦ１４形光コネクタ。ＭＵ:Miniature-Unit coupling optical fiber connector）等の光コネクタプラグが採用される。また、ＳＣ形光コネクタからつまみを省略した、いわゆるＳＣ２形光コネクタ（光コネクタプラグ）も採用可能である。
【００２７】
図６等に示すように、光コネクタ３１は、詳細には、コネクタモジュール３３の前面側のコネクタパネル３３ｂに取り付けられた光コネクタアダプタ３１１に、分岐ファイバ部３２２の先端に取り付けられている光コネクタ３３４（光コネクタプラグ）を、コネクタモジュール３３の背面側、すなわち、コネクタモジュール３３の内側（詳細には、モジュール本体３３ａの内側）から挿入して接続したものである。光コネクタアダプタ３１１に前面側からジャンパ用光ファイバ５先端の光コネクタ５２を挿入して接続すると、光コネクタアダプタ３１１内にて、光コネクタ３３４、５２同士の接続によって、接続用光ファイバ３２の分岐ファイバ部３２２とジャンパ用光ファイバ５とがコネクタ接続される。
【００２８】
図２、図３等では、光コネクタプラグである光コネクタ３３４、５２が挿入されるコネクタ穴が一列に８個配列されている、８連の光コネクタアダプタ３１１を採用し、接続用光ファイバ３２の８心の多心テープファイバ部３２１から単心分岐された８本の分岐ファイバ部３２２の先端の光コネクタ３３４を、ひとつの光コネクタアダプタ３１１の各コネクタ穴にコネクタモジュール３３の内側（詳細には、モジュール本体３３ａの内側）から挿入して接続してある構成の光コネクタ３１を例示している。８連等の多連になっている前記光コネクタアダプタ３１１は、複数のコネクタ穴が上下多段に配列される向きで、コネクタモジュール３３に横並びにして複数配列設置してある。
但し、光コネクタ３１を構成する多連の光コネクタアダプタ３１１としては、例えば、２連や４連のもの等も採用可能であり、対応心数には特には限定は無い。また、接続用光ファイバ３２としても、多心テープファイバ部３２１が８心のものに限定されず、例えば、多心テープファイバ部３２１が、２心、４心、１２心等のものを採用できる。
また、例えば、８連の光コネクタアダプタ３１１に、４心の多心テープファイバ部３２１を具備する接続用光ファイバ３２を２本接続する（具体的には、分岐ファイバ部３２２を接続する）など、ひとつの光コネクタアダプタ３１１に対して、複数本の接続用光ファイバ３２を接続することも可能である。また、接続用光ファイバ３２の複数本の分岐ファイバ部３２２先端の光コネクタ３２４を、複数の光コネクタアダプタに振り分けて接続することも可能である。
【００２９】
なお、分岐ファイバ部３２２の先端に取り付けられている光コネクタ３３４（光コネクタプラグ）、光コネクタアダプタ３１１も、それぞれ、接続用光ファイバ３２のコネクタ成端を実現する、本発明に係る「光コネクタ」に相当する。分岐ファイバ部３２２自体も、コネクタモジュール３３の光コネクタ３１によってコネクタ成端された光ファイバとして機能する。
接続用光ファイバ３２（詳細には分岐ファイバ部３２２）を、ジャンパ用光ファイバ５に対してコネクタ接続可能に成端する光コネクタ３１としては、上述のように、光コネクタアダプタ３１１と、分岐ファイバ部３２２先端の光コネクタ３３４（光コネクタプラグ）とからなる構成のものに限定されず、例えば、接続用光ファイバ３２に取り付けた光コネクタレセプタクル等も採用可能である。
ジャンパ用光ファイバ５の両端の光コネクタ５２（光コネクタプラグ）としては、接続用光ファイバ３２の分岐ファイバ部３２２先端の光コネクタ３２４と同じものを用いることができる。この光コネクタ５２としては、光コネクタ３１に対して着脱可能に接続することで、接続用光ファイバ３２（詳細には分岐ファイバ部３２２）とジャンパ用光ファイバ５とのコネクタ接続を実現できるものであれば良く、必ずしも、接続用光ファイバ３２の分岐ファイバ部３２２先端の光コネクタ３２４と同じものに限定されない。
【００３０】
接続用光ファイバ３２の多心テープファイバ部３２１は、多心の光ファイバテープ心線と同様のものである。融着用ピグテイル３２ａは、多心テープファイバ部３２１を、コネクタモジュール３３のモジュール本体３３ａから延出させた部分である。
光ファイバケーブル４の光ファイバ４１は、光ファイバテープ心線である。
ここでは、接続用光ファイバ３２として、光ファイバ４１と心数が同じ多心テープファイバ部３２１を具備するものを用い、融着用ピグテイル３２ａの先端（接続用光ファイバ３２の光コネクタ３１とは反対側の端部。換言すれば、多心テープファイバ部３１１における、分岐部３１３とは反対側の端部）に光ファイバ４１を融着接続することで、光ファイバ４１の複数本の回線を、接続用光ファイバ３２を介して、光コネクタ３１によって、一括してコネクタ成端されるようにしてある。
【００３１】
図１、図６に示すように、この光配線盤１にあっては、ジャンパ用光ファイバ５の光コネクタ３２４を、それぞれ、光ファイバケーブル４の光ファイバ４１と融着用ピグテイル３２ａとの融着接続によって前記光ファイバ４１をコネクタ成端している光コネクタ３１に接続することで、単心のジャンパ用光ファイバ５を介して、光ファイバ４１の特定の１心の光回線同士が光接続される。ジャンパ用光ファイバ５の両端の光コネクタ５２の一方又は両方の、コネクタモジュール３３の光コネクタ３１に対する着脱によって、接続対象の接続用光ファイバ３２の光回線（詳細には、分岐ファイバ部３２２）を切り替えることで、１心単位で、光ファイバ４１間の切替接続を行える。
【００３２】
（配線ステージ）
図３に示すように、光コネクタ３２４によってコネクタモジュール３３の光コネクタ３１に接続したジャンパ用光ファイバ５は、コネクタモジュール３３の前面側にて、光コネクタ３１から下方に垂らすようにして、コネクタモジュール３３の下部から前面側に張り出すように突設されている配線棚３７上に配線される。前記配線棚３７は、コネクタモジュール３３に沿って横方向に延在する細長形状に形成されており、光コネクタ３１に接続された多数本のジャンパ用光ファイバ５が、該配線棚３７の長手方向に沿って配線される。また、配線棚３７に配線されたジャンパ用光ファイバ５は、配線棚３７の第１配線用空間２７ａ側の端部から延出され、配線ステージ３９上に配線される。
【００３３】
なお、配線棚３７に配線されたジャンパ用光ファイバ５の、配線棚３７からの延出方向は、ユニット積層部３Ａを介して左右両側の配線用空間の内、成端ユニット３に引き込まれる光ファイバ（ケーブル側光ファイバ４１）が引き回し配線されている配線用空間とは反対側の配線用空間への延出となる。
例えば、図１２に示すように、第１配線用空間２７ａに導入された光ファイバケーブル４の光ファイバ４１が第１配線用空間２７ａ内での配線によって成端ユニット３に引き込まれる構成の光配線盤１Ａの場合は、配線棚３７に配線されたジャンパ用光ファイバ５が配線棚３７の第２配線用空間２７ｂ側の端部から延出されて、第２配線用空間２７ｂにジャンパ用光ファイバ５の余長が収納されるようにする。
【００３４】
第１配線用空間２７ａには、両端の光コネクタ５２をそれぞれ光コネクタ３１に接続したジャンパ用光ファイバ５の余長５３が、配線ステージ３９から下方に垂れ下げるようにして、Ｕ字状に湾曲させた状態で収納される。
図４に示すように、配線ステージ３９は、Ｌ字形に形成されたステージ本体３９１と、このステージ本体３９１上に設けられたコードクランプ３９２（３９２Ａ、３９２Ｂ、３９２Ｃ）とを具備して構成されている。ステージ本体３９１は、成端ユニット３のユニット本体３８に隣設されて配線棚３７から該ステージ本体３９１上に引き込まれるジャンパ用光ファイバ５を受け入れる受け入れ台部３９１ａと、この受け入れ台部３９１ａから配線棚３７とは反対の側に延出する第１配線台部３９１ｂと、受け入れ台部３９１ｂから背面側（図４上側）に延出する第２配線台部３９１ｃとを具備する。ステージ本体３９１は、受け入れ台部３９１ａと、第１配線台部３９１ｂと、第２配線台部３９１ｃとによって、ジャンパ用光ファイバ５が配線されるＬ字形の上面（配線面）を有する。配線棚３７からステージ本体３９１上（詳細には受け入れ台部３９１ａ）に引き込まれたジャンパ用光ファイバ５は、受け入れ台部３９１ａから２つの配線台部３９１ｂ、３９１ｃ（第１配線台部３９１ｂと第２配線台部３９１ｃ）とに振り分け配線され、各配線台部３９１ｂ、３９１ｃの受け入れ台部３９１ａからの延出先端から第１配線用空間２７ａに垂れ下げるようにして配線される。
【００３５】
両端の光コネクタ５２をそれぞれ光コネクタ３１に接続したジャンパ用光ファイバ５の余長５３は、ジャンパ用光ファイバ５の長手方向中央部を配線ステージ３９（詳細にはステージ本体３９１）の第１配線台部３９１ｂと第２配線台部３９１ｃとから垂れ下げるようにして、第１配線用空間２７ａ内にＵ字状に湾曲配線した部分である。ここで、ジャンパ用光ファイバ５を垂れ下げる第１配線台部３９１ｂ及び第２配線台部３９１ｃは、同一の配線ステージ３９に設けられているもの、互いに異なる配線ステージ３９に設けられているもの、のいずれであっても良い。また、ジャンパ用光ファイバ５は、このジャンパ用光ファイバ５の一方の端部を光コネクタ５２によってコネクタ接続した接続用光ファイバ３２が配線されている成端ユニット３に設けられている第１配線台部３９１ｂと、前記ジャンパ用光ファイバ５の一方の端部を光コネクタ５２によってコネクタ接続した接続用光ファイバ３２が配線されている成端ユニット３に設けられている第２配線台部３９１ｃとから垂れ下げる。
【００３６】
この光配線盤１では、ジャンパ用光ファイバ５を、光配線盤１の互いの位置が前後方向及び横方向にずらされている第１配線台部３９１ｂと第２配線台部３９１ｃとの間にＵ字状に垂れ下げるようにして配線することで、ジャンパ用光ファイバ５の余長５３が確保されるので、第１配線用空間２７ａのスペースを有効利用して充分な長さの余長５３を容易に確保できる。したがって、第１配線用空間２７ａの縮小が可能であり、光配線盤１の小型化に有効に寄与する。
なお、図２、図４等において、符号３９３は、受け入れ台部３９１ａから延出された第１配線台部３９１ｂ、第２配線台部３９１ｃの先端に設けられたＲガイドである。第１配線台部３９１ｂ、第２配線台部３９１ｃの先端から垂れ下げられるジャンパ用光ファイバ５は、Ｒガイド３９３上の湾曲配線面３９３ａに配線して、第１配線台部３９１ｂ、第２配線台部３９１ｃから垂れ下げることで、光特性に影響を与えない充分な湾曲半径が確保される。
【００３７】
また、ジャンパ用光ファイバ５の余長５３は、第１配線用空間２７ａにおいて、下端部に湾曲部５３ａが確保され、この湾曲部５３ａの両側部分がそれぞれ上下方向に延在するように配線される（上下方向に延在するように配線された部分を、以下、上下延在部５３ｂとも言う）。第１配線用空間２７ａにおいては、前後方向及び横方向にずらされた２カ所に、多数本のジャンパ用光ファイバ５の余長５３の上下延在部５３ｂが集合配線される（上下延在部５３ｂを集合配線したものを、以下、集合配線部５４とも言う）。これにより、光配線盤１の上下多段の成端ユニット３の光コネクタ３１に対するジャンパ用光ファイバ５の切替接続に伴うジャンパ用光ファイバ５の移動や余長５３の取り出しの際に、ジャンパ用光ファイバ５の余長５３同士の絡まり等を容易に回避することができ、切替接続の作業性を向上できる。
また、ジャンパ用光ファイバ５の余長５３の上下延在部５３ｂを集合配線した２本の集合配線部５４ａ，５４ｂの間には、ラック２に突設されて第１配線用空間２７ａの上下方向の複数箇所に設けられたコードガイド２７ｃが介在配置されている。このため、第１配線用空間２７ａ内においては、２本の集合配線部５４ａ、５４ｂの上下延在部５３ｂを、コードガイド２７ｃによって明瞭に区分けして配線できる。
【００３８】
コードクランプ３９２（３９２Ａ、３９２Ｂ、３９２Ｃ）は、ステージ本体３９１の、受け入れ台３９１ａ、２つの配線台部３９１ｂ、３９１ｃにそれぞれ設けられている。
図２、図４等に示すように、コードクランプ３９２は、ステージ本体３９１上に立設された２本のガイド片３９２ａを有するＵ字状のコード挿通部材３９２ｂと、このコード挿通部材３９２ｂの２本のガイド片３９２ａの間に架設され２本のガイド片３９２ａに案内されて昇降するクランプ片３９３ｃとを具備し、クランプ片３９３ｃを下降させて、２本のガイド片３９２ａ間のコード挿通空間３９３ｄに挿通されているジャンパ用光ファイバ５を、コード挿通部材３９３ｂ下部において２本のガイド片３９２ａの間を連結している連結部３９３ｅに押し付けるようにすることで、ジャンパ用光ファイバ５を固定できる。また、クランプ片３９３ｃを上昇させれば、ジャンパ用光ファイバ５の固定を解除できる。クランプ片３９３ｃは、連結部３９３ｅの両端に立設されている２本のガイド片３９２ａの上端から着脱できるようになっており、クランプ片３９３ｃを２本のガイド片３９２ａから離脱して、コード挿通部材３９２ｂの内側のコード挿通空間３９３ｄの上端を開放することで、コード挿通部材３９２ｂに対するジャンパ用光ファイバ５の収納及び取り出しを簡単に行える。
なお、コードクランプ３９２としては、受け入れ台３９１ａ、２つの配線台部３９１ｂ、３９１ｃにそれぞれ配線されるジャンパ用光ファイバ５を、複数本、一括してクランプ（及びクランプ解除）できる構成のものであれば良く、上述の構成のものに限定されず、様々な構成のもの採用できる。
【００３９】
また、この光配線盤１にあっては、別途、ラック２の外側から導入された外部光ファイバ６を、成端ユニット３に引き込んで光コネクタ３１に接続することで、接続用光ファイバ３２（詳細には、分岐ファイバ部３２２）にコネクタ接続することも可能である。
ここで、外部光ファイバ６としては、例えば、伝送装置に接続された光ファイバ等である。また、この外部光ファイバ６としては、先端が、成端ユニット３の光コネクタ３１に着脱可能に接続できる光コネクタ６１によってコネクタ成端されたものを採用する。外部光ファイバ６は、成端ユニット３の前面側に引き込んで、先端の光コネクタ６１を目的の回線の光コネクタ３１に接続することで、光ファイバケーブル４の目的の光回線と光接続される。
また、この外部光ファイバ６は、第１配線用空間２７ａを経由させて、２本の集合配線部５４ａ、５４ｂのジャンパ用光ファイバ５と同様に、目的の成端ユニット３まで引き回し配線される。
【００４０】
この光配線盤１は、コネクタモジュール３３の光コネクタ３１に対する成端ユニット３前面側からの光ファイバ（ジャンパ用光ファイバ５、外部光ファイバ６）先端の光コネクタの接続、該光配線盤１内への光ファイバケーブル４の引き込み、光ファイバ４１の配線、ケーブル側光ファイバ４１と接続用光ファイバ３２の融着用ピグテイル３２ａの融着接続等の作業を、該光配線盤の前面側から行える、いわゆる前面作業形（片面作業形）の光配線盤である。
【００４１】
この光配線盤１にあっては、光ファイバケーブル４の光ファイバ４１を、成端ユニット３の光コネクタ３１によってコネクタ成端するには、予め、融着トレー３５に引き込んでおいた融着用ピグテイル３２ａを融着トレー３５から取り出して、成端ユニット３に引き込んだケーブル側光ファイバ４１の先端を、融着接続すれば良い。このため、特許文献１，２に例示されるような成端ユニットからの光モジュールの取り出しを要する構成の光配線盤に比べて、非常に簡単な作業で効率良くコネクタ成端を実現できる。融着接続部３４の収納も簡単に行える。
また、光ファイバケーブル４の光ファイバ４１を融着する、接続用光ファイバ３２の融着用ピグテイル３２ａは、上下多段の成端ユニット３に振り分けて設けられている。さらに、各成端ユニット３において、複数の融着トレー３５に振り分けて収納されている。このため、光ファイバケーブル４の光ファイバ４１を融着する、目的の融着用ピグテイル３２ａの収納場所は判りやすく、融着用ピグテイル３２ａの融着トレー３５からの取り出しを迅速に行える。
【００４２】
図７〜図９は、本発明に係る融着トレー３５の一例を示す図である。
図５、図７〜図９において、融着トレー３５は、光配線盤１の横方向に細長の長方形状に形成されている。融着トレー３５の周囲壁３５２は、融着トレー３５の前側の前壁３５２ａと、後側（背面側）の後壁３５２ｂと、横方向両側の側壁３５２ｃ、３５２ｄとで構成されている。
横方向両側（左右両側）の両側壁３５２ｃ、３５２ｄには、光ファイバケーブル４の光ファイバ４１を引き込むためのファイバ導入口３５４が開口されている。
【００４３】
また、ファイバ導入口３５４には、プレート状のファイバ受け片３５５ａ上に、前記ファイバ導入口３５４に通される光ファイバ４１を保持するためのクランプ３５５ｂを取り付けた構造のファイバ受けユニット３５５が設けられている。
前記ファイバ受けユニット３５５は、クランプ３５５ｂがファイバ受け片３５５ａの上側となる向きで、ファイバ受け片３５５ａを、ファイバ導入口３５４付近から融着トレー３５の外側に突設された受け台３５ｂ上に設置して、融着トレー３５に取り付ける。
ファイバ受けユニット３５５は、例えば、ねじ等の固定手段を用いて受け台３５ｂに固定する。また、例えば、ファイバ受けユニット３５５に突設しておいた差込片を、受け台３５ｂに差し込んで受け台３５ｂに取り付ける、取り付け形態等も採用可能である。
また、ファイバ受けユニット３５５は、受け台３５ｂ上ではなく、融着トレー３５の底板３５１上に取り付けても良い。
【００４４】
但し、図示例の融着トレー３５において、ファイバ受けユニット３５５は着脱可能になっている。
そして、後述のように、ファイバ受けユニット３５５は、融着トレー３５の両側のファイバ導入口３５４の間で、移設可能になっている。
【００４５】
ファイバ受けユニット３５５のファイバ受け片３５５ａは、クランプ３５５ｂが取り付けられた台板部３５５ｃの両側から、光ファイバ４１が配線される上面（配線面）を形成する配線板部３５５ｄが延出された構造になっている。
ファイバ受けユニット３５５は、クランプ３５５ｂがファイバ導入口３５４あるいはその近傍となるようにして、融着トレー３５に取り付けられる。融着トレー３５に取り付けたファイバ受けユニット３５５のファイバ受け片３５５ａの両側の配線板部３５５ｄの内、一方は、融着トレー３５の外側に突出され、他方は、ファイバ導入口３５４から融着トレー３５内に延出するように配置されて、融着トレー３５の底板３５１上に重ね合わせるようにして設置される。
図８、図１１に示すように、ファイバ受けユニット３５５を、融着トレー３５の両側のファイバ導入口３５４の内の一方に取り付けたときに、台板部３５５ｃの両側の配線板部３５５ｄの内の融着トレー３５の外側に突出されるものは、ファイバ受けユニット３５５を他方のファイバ導入口３５４に取り付けたときには、融着トレー３５の内側に配置される。
【００４６】
図７に示すように、クランプ３５５ｂは、光ファイバ４１を収納できる枠状に形成されている。このクランプ３５５ｂは、光ファイバ４１を該クランプ３５５ｂの内外に移動させるための開口部３５５ｆとして機能する不連続部を有している。
このクランプ３５５ｂの内側（内側空間３５５ｇ）には、具体的には、光ファイバ４１を収納した保護チューブ４３が挿入される。
保護チューブ４３は、光ファイバ４１の光ファイバケーブル４から延出された部分のほぼ全長を収納している。融着トレー３５には、保護チューブ４３の端末が引き込まれ、保護チューブ４３の端末から延出された光ファイバ４１が融着トレー３５内に引き回される。
クランプ３５５ｂの内側空間３５５ｇは、ファイバ導入口３５４と連通されている。ファイバ導入口３５４から融着トレー３５に引き込まれる光ファイバ４１は、クランプ３５５ｂの内側空間３５５ｇに通される。
【００４７】
図５等に示すように、前記ファイバ受け片３５５ａの両側の配線板部３５５ｄの内、ファイバ導入口３５４から融着トレー３５の外側に突出されるものは、台板部３５５ｃから背面側に傾斜して突出される。
成端ユニット３の融着トレー３５に引き込まれた光ファイバ４１（光ファイバケーブル４の光ファイバ４１）は、融着トレー３５のファイバ受け片３５５ａと、ラック２の背面板２５に取り付けられたファイバ保持部品２９ｂとの間に、融着トレー３５の融着トレー収納部３６から前面側への引き出しに対応するための余長４４を確保して、配線される。余長４４は、融着トレー３５のファイバ受け片３５５ａとファイバ保持部品２９ｂとの間にて光ファイバ４１に確保した弛みであり、ファイバ受け片３５５ａとファイバ保持部品２９ｂとから下方に垂れ下がるＵ字状に湾曲されている。
【００４８】
上述のように、ファイバ受け片３５５ａの配線板部３５５ｄがファイバ導入口３５４から融着トレー３５の外側に背面側に傾斜して突出されている構成であれば、融着トレー３５の融着トレー収納部３６から前面側への引き出し、及び、再収納に伴い、融着トレー３５とファイバ保持部品２９ｂとの間に配線されている光ファイバ４１が移動したり、揺動しても、光ファイバ４１に、光特性に影響を与えるような曲げが生じにくい。
【００４９】
図示例のファイバ受けユニット３５５のファイバ受け片３５５ａは、台板部３５５ｃの両側の配線板部３５５ｄが、台板部３５５ｃから互いに傾斜する２方向に延出されている、概略Ｖ字形の板状に形成されている。
ファイバ受けユニット３５５は、台板部３５５ｃを通る、光配線盤１の横方向（成端ユニット３の横方向）の仮想直線から後側（背面側）への、台板部３５５ｃの両側の配線板部３５５ｄの傾斜角度が揃う（傾斜角度が同じ、あるいは、ほぼ同じ）向きで、融着トレー３５に取り付けられる。このことは、融着トレー３５の左右両側のファイバ導入口３５４のどちらにファイバ受けユニット３５５を取り付ける場合でも共通である。したがって、例えば、融着トレー３５の左右両側のファイバ導入口３５４の一方から他方へ、ファイバ受けユニット３５５を移設した場合であっても、融着トレー３５の外側に延出される配線板部３５５ｄの延出方向が、ファイバ導入口３５４から（詳細には台板部３５５ｃから）後側へ傾斜した方向となる。
【００５０】
なお、図５等に示すように、融着トレー３５は、融着トレー３５の外側に突出する配線板部３５５ｄを含む全体が融着トレー収納部３６に収納される訳ではなく、融着トレー３５の前記配線板部３５５ｄを含む前端部（前壁３５２ａ付近）は、融着トレー収納部３６に収納されずに、融着トレー収納部３６から前面側に配置された状態が維持される。また、本発明に係る融着トレー収納部３６としては、このような構成に限定されず、例えば、融着トレー収納部３６の両側板３６１に、融着トレー３５から外側に突出された配線板部３５５ｄを融着トレー収納部３６の前面側から挿脱できるスリットを形成し、融着トレー３５の出来るだけ広範囲を収納できるようにした構成等も採用可能である。この場合は、融着トレー３５を融着トレー収納部３６に収納したときに、ファイバ受けユニット３５５ａ、ファイバ導入口３５４を経由して融着トレー３５に導入されている光ファイバ４１が、前記スリットに通されて、融着トレー収納部３６の側板３６１に貫通される。
【００５１】
また、前記ファイバ受け片３５５ａの配線板部３５５ｄは、例えば、ゴム等の柔軟性に富む樹脂材料等によって、弾性変形可能に形成しても良い。これにより、融着トレー３５の移動に伴う光ファイバ４１の曲げを、より確実に抑えることができる。
この場合、ファイバ受け片３５５ａの配線板部３５５ｄは、光ファイバ４１に作用する曲げや引っ張り等の外力によって簡単に弾性変形できるように形成する。これにより、光ファイバ４１を無理な引っ張りによって曲げたり、折損してしまうといった不都合の防止に有効に寄与する。
【００５２】
さらに、融着トレー３５は、コネクタモジュール３３（詳細にはモジュール本体３３ａ）から導入された融着用ピグテイル３２ａの融着トレー３５内での配線位置を設定するためのファイバガイド７（以下、導入用ファイバガイドとも言う）と、融着用ピグテイル３２ａと光ファイバ４１との融着接続部３４を保持するための融着部ホルダ８とを具備する。
なお、融着トレー３５に、導入用ファイバガイド７、融着部ホルダ８を取り付けたものも、本発明に係る融着トレーとして機能することは言うまでも無い。この場合は、既述の融着トレー３５であるトレー本体に、導入用ファイバガイド７、融着部ホルダ８を取り付けたものが、融着トレーである。
【００５３】
ここで例示する導入用ファイバガイド７は、具体的には、細長板状の部材であるガイド本体７ａに、融着用ピグテイル３２ａを収納したチューブ３２ｂ、３２ｃの固定用の把持部７２を設けた概略構造になっている。
ガイド本体７１は、細長板状の底板７３の幅方向両側に、該底板７３の長手方向全長にわたって側壁７４を立設した、断面コ字形に形成された細長の部材である。この導入用ファイバガイド７は、ガイド本体７１の底板７３を、融着トレー３５の底板３５１上に重ね合わせる（側壁７４が立設されていない側の面を重ね合わせる）ようにして、融着トレー３５に取り付けられる。
【００５４】
図７、図８等に示すように、把持部７２は、ガイド本体７ａの長手方向の２カ所に設けられている。
説明の便宜上、区別のため、図中、一方の把持部７２に符号７２１、他方の把持部７２に符号７２２を付す。
一方の把持部７２１（以下、第１把持部とも言う）は、融着トレー収納部３６の外側から融着トレー３５に引き込まれる前記チューブ３２ｂの先端を嵌め込み固定するものであり、ガイド本体７１の一対の側壁７４の内面側（一対の側壁７４の間に確保された溝７５に臨む側）に把持用突起７２１ａが突設された構造になっている。
他方の把持部７２２（以下、第２把持部とも言う）は、ガイド本体７１の底板７３から、ガイド本体７１の一対の側壁７４の間に突設された突壁７２２ａによって、ガイド本体７１の溝７５を二つの溝（小溝）に区切った構造になっている。この第２把持部７２２においては、ガイド本体７１の一対の側壁７４の内面側に把持用の凹凸が形成されている。また、突壁７２２ａの両面にも凹凸が形成されている。
【００５５】
融着用ピグテイル３２ａは、チューブ３２ｂに収納した状態で、融着トレー３５に引き込まれる。融着トレー３５の後壁３５２ｂには、融着用ピグテイル３２ａを融着トレー３５内に引き込むためのファイバ導入口３５９（以下、モジュール側ファイバ導入口とも言う）が開口されており、融着用ピグテイル３２ａは、チューブ３２ｂに収納した状態で、前記モジュール側ファイバ導入口３５９から融着トレー３５に引き込まれる。
チューブ３２ｂには、コネクタモジュール３３（詳細にはモジュール本体３３ａ）から導入する融着用ピグテイル３２ａを、複数本、通すことができる。
チューブ３２ｂは、先端を、導入用ファイバガイド７の第１把持部７２１に嵌め込んで、ガイド本体７１の長手方向に沿わせた向きで、導入用ファイバガイド７に固定される。
【００５６】
図示例のチューブ３２ｂには、複数本の融着用ピグテイル３２ａを収納してある。
融着トレー３５内では、チューブ３２ｂ先端から延出された複数本の接続用光ファイバ３２（融着用ピグテイル３２ａ）が、複数本のチューブ３２ｃ（トレー内配線用チューブ）に振り分け収納して引き回される。複数本の融着用ピグテイル３２ａを、複数本のチューブ３２ｃに収納することで、融着トレー３５内に引き回す融着用ピグテイル３２ａを整理できるので、後述する未接続ファイバ収納空間３５３ａ、現用ファイバ収納空間３５３ｂへの振り分け配線等を容易に行える。また、回線照合等の作業を効率良く行える。
チューブ３２ｃは、片端をファイバガイド７の第２把持部７２２に嵌め込ん（詳細には、ガイド本体７１の側壁７４と突壁７２２ａとの間の溝への嵌め込み）で固定して、融着トレー３５内に引き回される。
【００５７】
融着部ホルダ８は、融着トレー３５の底板３５１上に重ね合わせるようにして取り付けられる底板８１上に、融着接続部３４を把持して固定するための把持片８２（弾性片）が複数突設された構造になっている。融着接続部３４は、把持片８２の間に押し込むことで、融着部ホルダ８に着脱可能に保持される。
【００５８】
融着トレー３５の底板３５１には、導入用ファイバガイド７が着脱可能に取り付けられるファイバガイド取付部３５６と、融着部ホルダ８が着脱可能に取り付けられる融着部ホルダ取付部３５７とが設けられている。
ファイバガイド取付部３５６と融着部ホルダ取付部３５７とは、それぞれ、融着トレー３５の底板３５１の横方向に離隔した２カ所（図７、図８において、区別のため、２カ所のファイバガイド取付部に符号３５６Ａ、３５６Ｂ、２カ所の融着部ホルダ取付部に３５７Ａ、３５７Ｂを付す）に設けられている。これにより、導入用ファイバガイド７、融着部ホルダ８は、融着トレー３５の横方向に互いに離隔した２カ所に選択的に取り付けることができる。
なお、融着用ピグテイル３２ａの導入用の、融着トレー３５の後壁３５２ｂのモジュール側ファイバ導入口３５９も、２カ所のファイバガイド取付部３５６Ａ、３５６Ｂに対応して、後壁３５２ｂの左右に離隔した２カ所に形成されており、導入用ファイバガイド７を、２カ所のファイバガイド取付部３５６Ａ、３５６Ｂのどちらに取り付けた場合でも、モジュール側ファイバ導入口３５９と導入用ファイバガイド７の溝７５とが連通されて、融着用ピグテイル３２ａ及び該融着用ピグテイル３２ａを収納したチューブ３２ｂの融着トレー３５への引き込みが可能であるようになっている。
【００５９】
図示例の融着トレー３５において、ファイバガイド取付部３５６は、具体的には、融着トレー３５の底板３５１において、導入用ファイバガイド７の複数箇所に突設されている嵌合突起７７（図８、図１０参照。図示例では３カ所に突設）を底板３５１上から押し込むようにして嵌め込むことができる嵌合孔３５６ａが複数形成された領域である。導入用ファイバガイド７の嵌合突起７７は、ガイド本体７１の長手方向複数箇所（図示例では３カ所）において、導入用ファイバガイド７の底板７３の底面７６（底板７３において、側壁７４が突設されている側とは反対側の面）に突設されている。ファイバガイド取付部３５６の複数の嵌合孔３５６ａは、導入用ファイバガイド７の複数の嵌合突起７７をひとつずつ嵌め込み可能なように、導入用ファイバガイド７の複数の嵌合突起７７の位置に応じた複数箇所に形成されている。
さらに言えば、ファイバガイド取付部３５６は、融着トレー３５の底板３５１において、ひとつの導入用ファイバガイド７の複数の嵌合突起７７の嵌め込みに対応する複数の嵌合孔３５６ａを形成した領域、とも言える。
【００６０】
図示例の融着トレー３５においては、融着部ホルダ取付部３５７も、ファイバガイド取付部３５６と同様に、融着トレー３５の底板３５１において、ひとつの融着部ホルダ８に突設されている複数の嵌合突起８３の嵌め込みに対応する複数の嵌合孔３５７ａを形成した領域である。融着部ホルダ８は、嵌合突起８３を、底板３５１上から嵌合孔３５７ａに押し込むようにして嵌め込むことで、底板３５１に取り付けることができる。
融着部ホルダ８の嵌合突起８３は、融着部ホルダ８の底板８１の、把持片８２が突設されている上面８１ａとは反対側の底面８１ｂの複数箇所（図８、図１１参照。図示例では２カ所）に突設されている。融着部ホルダ取付部３５７の複数の嵌合孔３５７ａは、融着部ホルダ８の複数の嵌合突起８３をひとつずつ嵌め込み可能なように、融着部ホルダ８の複数の嵌合突起８３の位置に応じた複数箇所に形成されている。
【００６１】
図９，図１０等において、導入用ファイバガイド７、融着部ホルダ８の嵌合突起７７、８３は、いずれも、ピン状（嵌合ピン）に形成されている。
嵌合突起７７、８３は、融着トレー３５の底板３５１側の嵌合孔３５６ａ、３５７ａに嵌め込んだ状態において上方に強く引っ張るなどして、嵌合孔３５６ａ、３５７ａから引き抜くことができる。これにより、融着トレー３５の底板３５１に取り付けられている導入用ファイバガイド７、融着部ホルダ８を、融着トレー３５から離脱させることができる。
なお、融着トレー３５の底板３５１に、導入用ファイバガイド７、融着部ホルダ８を着脱可能に取り付けるための構成としては、導入用ファイバガイド７、融着部ホルダ８の嵌合突起７７、８３を融着トレー３５の底板３５１に嵌め込む構成に限定されず、例えば、ファイバガイド取付部３５６、融着部ホルダ取付部３５７として、導入用ファイバガイド７、融着部ホルダ８に係脱可能に係合する弾性爪を突設した構成や、導入用ファイバガイド７のガイド本体７１、融着部ホルダ８の底板８１が、離脱可能に嵌め込まれる嵌合凹部を形成した構成、等、様々な構成を採用することができる。
【００６２】
前記導入用ファイバガイド７は全体として細長形状になっており、ファイバガイド取付部３５６に取り付けることで、融着トレー３５内にて前後方向に延在配置される。
具体的には、導入用ファイバガイド７は、長手方向一端部（基端部）を、融着トレー３５の外周部の周囲壁３５２の内の後壁３５２ｂに当接させ、長手方向他端部（先端部）と前記周囲壁３５２の前壁３５２ａとの間にファイバ配線用の隙間３５８を確保して、融着トレー３５の底板３５１上に設けられる。
【００６３】
融着トレー３５の内側空間３５３は、融着トレー３５に取り付けた導入用ファイバガイド７を介して横方向両側の２つのファイバ収納空間（未接続ファイバ収納空間３５３ａ、現用ファイバ収納空間３５３ｂ）に区分けされる。
導入用ファイバガイド７には、融着トレー３５の後壁３５２ｂのモジュール側ファイバ導入口３５２ｂから融着トレー３５に引き込まれたチューブ３２ｂの端末が、第１把持部の一対の把持用突起７２１ａの間に把持固定されて取り付けられ、チューブ３２ｂ端末から延びる融着用ピグテイル３２ａが、導入用ファイバガイド７の長手方向他端部（先端部）から隙間３５８に延出され、融着トレー３５内に引き回される。
【００６４】
未接続ファイバ収納空間３５３ａには、融着トレー３５に引き込まれた融着用ピグテイル３２ａの内、どこにも接続していない光ファイバである保留光ファイバ３２ａ１が収納される。保留光ファイバ３２ａ１は、例えば円形に巻くなどして、湾曲処理して、未接続ファイバ収納空間３５３ａに収納される。
【００６５】
現用ファイバ収納空間３５３ｂには、融着用ピグテイル３２ａとケーブル側光ファイバ４１との融着接続部３４が、融着用ピグテイル３２ａ及び光ファイバ４１の余長とともに収納される。
【００６６】
融着部ホルダ８は、現用ファイバ収納空間３５３ｂに設置される。融着用ピグテイル３２ａとケーブル側光ファイバ４１との融着接続部３４は、現用ファイバ収納空間３５３ｂに設置された融着部ホルダ８上の把持片８２の間に嵌め込んで、融着部ホルダ８に取り付ける。
【００６７】
導入用ファイバガイド７を経由して融着トレー３５に引き込まれる融着用ピグテイル３２ａは、導入用ファイバガイド７の先端部と前記周囲壁３５２の前壁３５２ａとの間の隙間３５８から、未接続ファイバ収納空間３５３ａと、現用ファイバ収納空間３５３ｂとに振り分け配線される。
【００６８】
融着トレー３５において、内側空間３５３を導入用ファイバガイド７を介して両側に区分けしたファイバ収納空間は、ユニット積層部３Ａの左右両側の配線用空間の内の、成端ユニット３に引き込む光ファイバ４１（導入光ファイバ）が配線される配線用空間、本実施形態においては光ファイバケーブル４が引き込まれる配線用空間（図１の光配線盤１においては第２配線用空間２７ｂ）の側を現用ファイバ収納空間３５３ｂ、導入用ファイバガイド７を介して現用ファイバ収納空間３５３ｂとは反対の側を未接続ファイバ収納空間３５３ａとして使用する。
【００６９】
図１の光配線盤１においては、図７、図８に示すように、融着トレー３５の横方向両側（左右両側）のファイバ導入口３５４の内、第２配線用空間２７ｂに臨む側のファイバ導入口３５４から、光ファイバケーブル４の光ファイバ４１が、現用ファイバ収納空間３５３ｂに引き込まれる。
融着トレー３５内に引き込まれた光ファイバ４１は、現用ファイバ収納空間３５３ｂ内にのみ引き回され、未接続ファイバ収納空間３５３ａには配線されない。このことは、後述のように、光ファイバケーブル４の導入を第１配線用空間２７ａ、ジャンパ用光ファイバ５の余長収納を第２配線用空間２７ｂとした、図１２の光配線盤１Ａについても同様である。
【００７０】
また、図１の光配線盤１においては、導入用ファイバガイド７を、融着トレー３５の２カ所のファイバガイド取付部３５６Ａ、３５６Ｂの内の第１配線用空間２７ａ寄りのファイバガイド取付部３５６Ａに取り付け、融着部ホルダ８を、融着トレー３５の２カ所の融着部ホルダ取付部３５７Ａ、３５７Ｂの内の第２配線用空間２７ｂ寄りの融着部ホルダ取付部３５７Ｂに取り付ける。
【００７１】
上述のように、導入用ファイバガイド７によって、未接続ファイバ収納空間３５３ａと現用ファイバ収納空間３５３ｂとが区分けされ、融着接続部３４及び該融着接続部３４にて接続された光ファイバ３２ａ、４１の余長を収納する現用光ファイバ収納空間３５３ｂとは別の未接続ファイバ収納空間３５３ａに、保留光ファイバ３２ａ１を収納する構成であれば、保留光ファイバ３２ａ１の取り出しを、融着接続部３４にて接続された光ファイバ３２ａ、４１の余長との干渉を回避して、効率良く行うことができる。
【００７２】
なお、図７、図８、図１１において、符号３５ａはファイバ押さえ片である。このファイバ押さえ片３５ａは、融着トレー３５（トレー本体）は、周囲壁３５２の複数箇所から内側空間３５３内に張り出すように突出する舌片状に形成されており、融着トレー３５内に引き回された光ファイバ（融着用ピグテイル３２ａ、光ファイバ４１）が、融着トレー３５の底板３５１からの浮き上がりよる融着トレー３５から脱落することを防止する。また、ファイバ押さえ片３５ａは、融着トレー３５の底板３５１との間に、融着用ピグテイル３２ａ及び光ファイバ４１を通せる程度の隙間を空けて、底板３５１の上方に設けられている。
また、導入用ファイバガイド７にも、ファイバ押さえ片７８が突設されている。導入用ファイバガイド７のファイバ押さえ片７８は、ガイド本体７１の両側壁７４から、ガイド本体７１の両側（側壁７４を介して溝７５とは反対の側）に張り出すように突出されている。このファイバ押さえ片７８は、導入用ファイバガイド７を融着トレー３５の底板３５１上に取り付けたときに、融着トレー３５の底板３５１との間に、融着用ピグテイル３２ａ及び光ファイバ４１を通せる程度の隙間を空けて、底板３５１の上方に配置される。
【００７３】
ところで、この光配線盤１にあっては、図１において第１配線用空間２７ａに設けられているコードガイド２７ｃ、第２配線用空間２７ｂに設けられているケーブル固定部品（ケーブル把持部品２８ａとテンションメンバ固定部品２８ｂ）、ファイバガイド２９ａ、ファイバ保持部品２９ｂは、ユニット積層部３Ａを介して両側の配線用空間２７ａ、２７ｂに対して選択的に設置できる。つまり、第１配線用空間２７ａと第２配線用空間２７ｂとの間で移設可能である。
【００７４】
この光配線盤１は、図１２に示すように、光ファイバケーブル４の導入が第１配線用空間２７ａ、ジャンパ用光ファイバ５の余長収納が第２配線用空間２７ｂとなるように、組み替えることが可能である。いわば、図１等に示した構造に比べて、左右反転した構造への組み替えが可能である。
図１２に示した光配線盤には、区別のため、符号１Ａを付す。
【００７５】
図１２の光配線盤１Ａでは、成端ユニット３については、図１１に示すように、導入用ファイバガイド７を、融着トレー３５の２カ所のファイバガイド取付部３５６Ａ、３５６Ｂの内の第２配線用空間２７ｂ寄りのファイバガイド取付部３５６Ｂに取り付け、融着部ホルダ８を、融着トレー３５の２カ所の融着部ホルダ取付部３５７Ａ、３５７Ｂの内の第１配線用空間２７ａ寄りの融着部ホルダ取付部３５７Ａに取り付ける。融着トレー３５の内側空間３５３を導入用ファイバガイド７を介して両側に区分けしたファイバ収納空間の内、第１配線用空間２７ａ側のファイバ収納空間を現用ファイバ収納空間３５３ｂ、第２配線用空間２７ｂ側のファイバ収納空間を未接続ファイバ収納空間３５３ａとして使用する。保留光ファイバ３２ａ１は、未接続ファイバ収納空間３５３ａに収納する。また、第２配線用空間２７ｂに導入した光ファイバケーブル４の光ファイバ４１は、第２配線用空間２７ｂから現用ファイバ収納空間３５３ｂに引き込むようにする。
また、ファイバ受けユニット３５５は、現用ファイバ収納空間３５３ｂ側のファイバ導入口３５４に設置するので、図１２の光配線盤１Ａの場合は、図１１に示すように、図中、左側のファイバ導入口３５４に設置する。
なお、融着トレー３５の２カ所の融着部ホルダ取付部３５７Ａ、３５７Ｂは、融着トレー３５の横方向において、２カ所のファイバガイド取付部３５６Ａ、３５６Ｂの間に設けられている。
【００７６】
図１１等に示すように、成端ユニット３の融着トレー３５のファイバ導入口３５４とファイバ受け片３５５ａとは、融着トレー３５の横方向（左右方向）両側に設けられている。第１配線用空間２７ａから融着トレー３５に導入する光ファイバ４１は、第１配線用空間２７ａに臨む側のファイバ導入口３５４から融着トレー３５の現用ファイバ収納空間３５３ｂに引き込まれる。また、図１等に示した光配線盤１の場合と同様に、光ファイバ４１を収納した保護チューブ３２ｂを、ファイバ受けユニット３５５のクランプ３５５ｂの内側空間３５５ｇに収納して保持することで、引き留めることができる。
【００７７】
配線ステージ３９は、図１の光配線盤１の成端ユニット３の左側に取り付けられるタイプのもの（左用。区別のため符号３９Ａを付す）と、図１２の光配線盤１Ａの成端ユニット３の右側に取り付けられるタイプのもの（右用。区別のため符号３９Ｂを付す）とを選択使用する。
図１２、図１３に示すように、右用の配線ステージ３９Ｂも、左用の配線ステージ３９Ａと同様に、Ｌ字形に形成されたステージ本体３９１と、このステージ本体３９１上に設けられたコードクランプ３９２（３９２Ａ、３９２Ｂ、３９２Ｃ）とを具備する構成になっている。また、ステージ本体３９１が、成端ユニット３のユニット本体３８に隣設されて配線棚３７から該ステージ本体３９１上に引き込まれるジャンパ用光ファイバ５を受け入れる受け入れ台部３９１ａと、この受け入れ台部３９１ａから配線棚３７とは反対の側に延出する第１配線台部３９１ｂと、受け入れ台部３９１ｂから背面側に延出する第２配線台部３９１ｃとを具備している点、も左用の配線ステージ３９Ａと同様であるが、第１配線台部３９１ｂの受け入れ台部３９１ａからの延出方向が、左用の配線ステージ３９Ａとは左右方向で逆になっている。第１配線台部３９１ｂの受け入れ台部３９１ａからの延出方向以外の点は、左用の配線ステージ３９Ａと同様である。
【００７８】
したがって、この光配線盤によれば、光ファイバケーブル４の導入位置が、ユニット積層部３Ａを介して両側の配線用空間のどちらであっても、この光ファイバケーブル４の光ファイバ４１のコネクタ成端に対応できる。光ファイバケーブル４の光ファイバ４１とジャンパ用光ファイバ５、外部光ファイバ６との光接続も、光ファイバケーブル４を導入する配線用空間の選択に依らず実現できる。その結果、光配線盤の設置位置の自由度を向上できる、等の効果が得られる。
【００７９】
なお、本発明は、上述の実施形態に限定されず、各種変更が可能である。
例えば、上述の実施形態では、導入用ファイバガイド７及び融着部ホルダ８の両方の左右移設が可能に設けられた融着トレー３５を例示したが、これに限定されず、例えば、融着部ホルダ８が、融着トレー３５の中央部に設置されたまま移設されず、導入用ファイバガイド７のみ左右移設が可能になっている構成等も採用可能である。
【００８０】
接続用光ファイバとしては、上述した多心テープファイバ部３２１の片端を単心の複数本の分岐ファイバ部３２２に単心分岐した構造のものに限定されず、以下の（ａ）〜（ｃ）のような構成も採用可能である。
（ａ）多心テープファイバ部３２１の片端が、２心以上の多心のテープファイバ状の複数本の分岐ファイバ部３２２に分岐されているもの。但し、複数本の分岐ファイバ部の心数の合計は多心テープファイバ部の心数と同じであるため、各分岐ファイバ部は、多心テープファイバ部よりも少心の多心テープファイバとなっている。各分岐ファイバ部の先端には、コネクタ成端用の光コネクタが設けられ、各光コネクタがコネクタモジュールの前面側に配列設置されることは、上述の実施形態と同様である。
（ｂ）単心の光ファイバ心線、光ファイバ素線、といった１本の単心光ファイバの片端（一端部）に光コネクタを取り付け、他端部を融着用ピグテイルとしたもの。
（ｃ）多心光ファイバテープ心線の片端（一端部）に光コネクタを取り付け、他端部を融着用ピグテイルとしたもの。
ここで、上記（ａ）、（ｃ）では、接続用光ファイバのコネクタ成端用の光コネクタとしても多心用のものを用いる。接続用光ファイバにコネクタ接続する、ジャンパ用光ファイバ、外部光ファイバとしても多心のものを用いる。ジャンパ用光ファイバの両端をコネクタ成端する光コネクタ、外部光ファイバの先端をコネクタ成端する光コネクタは、多心用のものを採用する。
【図面の簡単な説明】
【００８１】
【図１】本発明に係る光配線盤を示す正面図である。
【図２】図１の光配線盤の成端ユニットを示す正面図である。
【図３】図２の成端ユニットを示す側面図である。
【図４】図１の光配線盤の平断面図であり、光配線盤及び成端ユニットの構造を示す図である。
【図５】図４の成端ユニットの融着トレー収納部の構造を示す平面図である。
【図６】図１の光配線盤内に配線されるジャンパ用光ファイバと、該ジャンパ用光ファイバを介して互いに光接続される、２本の光ファイバケーブルの光ファイバとの関係を示す光配線図である。
【図７】図１の光配線盤の成端ユニットの融着トレーの構造を示す斜視図である。
【図８】図１の光配線盤の成端ユニットの融着トレーの構造を示す平面図である。
【図９】図７、図８の融着トレーに設けられる導入用ファイバガイドに突設されている嵌合突起と、融着トレーの底板に穿設された嵌合孔との関係を示す図である。
【図１０】図７、図８の融着トレーに設けられる融着部ホルダに突設されている嵌合突起と、融着トレーの底板に穿設された嵌合孔との関係を示す図である。
【図１１】融着トレーに設けられる導入用ファイバガイド及び融着部ホルダを、図７、図８の位置から左右反転するように移設した状態を示す平面図である。
【図１２】本発明に係る光配線盤を、光ファイバケーブルの導入が第１配線用空間、ジャンパ用光ファイバの余長収納が第２配線用空間となるように構成した場合を示す正面図である。
【図１３】図１２の光配線盤の成端ユニットを示す平面図である。
【符号の説明】
【００８２】
１，１Ａ…光配線盤、３…成端ユニット、３１…光コネクタ、３２…接続用光ファイバ、３２ａ…融着用ピグテイル、３２ａ１…保留光ファイバ、３２１…多心テープファイバ部、３２２…分岐ファイバ部、３３…コネクタモジュール、３４…融着接続部、３５…融着トレー、３５１…底板、３５４…ファイバ導入口、３５６…ファイバガイド取付部、３５７…融着部ホルダ取付部、４１…光ファイバ、７…ファイバガイド、８…融着部ホルダ。
【図１】
2008224893.tif 000003
【図２】
2008224893.tif 000004
【図３】
2008224893.tif 000005
【図４】
2008224893.tif 000006
【図５】
2008224893.tif 000007
【図６】
2008224893.tif 000008
【図７】
2008224893.tif 000009
【図８】
2008224893.tif 000010
【図９】
2008224893.tif 000011
【図１０】
2008224893.tif 000012
【図１１】
2008224893.tif 000013
【図１２】
2008224893.tif 000014
【図１３】
2008224893.tif 000015
【手続補正書】
【提出日】平成20年4月21日(2008.4.21)
【手続補正１】
【補正対象書類名】特許請求の範囲
【補正対象項目名】全文
【補正方法】変更
【補正の内容】
【特許請求の範囲】
【請求項１】
光コネクタ（３１、３１１、３２４）が設けられたコネクタモジュール（３３）を上部に、光ファイバ同士の融着接続部（３４）の収納用の融着トレー（３５）を下部に配置した構成の成端ユニット（３）が上下多段に設けられ、
前記成端ユニットの前記コネクタモジュールは、前面側に前記光コネクタが複数配列設置され、背面側から、前記光コネクタによってコネクタ接続可能に成端された光ファイバ（３２）が延出されていて、該光ファイバの前記コネクタモジュールから延出された端部が前記融着トレー内に引き込まれて収納され、
前記融着トレーは、前記コネクタモジュールから引き込まれた光ファイバである接続用光ファイバ（３２）と、該融着トレーに別途引き込んで前記接続用光ファイバと接続する光ファイバである導入光ファイバ（４１）との融着接続部（３４）を収納可能であり、
前記融着トレーは、前記コネクタモジュールから引き込まれた前記接続用光ファイバの内の、前記導入光ファイバと接続していない保留光ファイバ（３２ａ１）を収納する未接続ファイバ収納空間（３５３ａ）と、融着接続によって互いに接続された接続用光ファイバ及び導入光ファイバを収納する現用ファイバ収納空間（３５３ｂ）と、前記融着接続部を保持する融着部ホルダ（８）とを具備し、
前記未接続ファイバ収納空間と前記現用ファイバ収納空間とは、前記融着トレーの底板（３５１）上の互いに異なる位置に確保され、
前記融着トレーには、コネクタモジュールから導入される接続用光ファイバ用のファイバガイド（７）が取り付けられ、
前記未接続ファイバ収納空間と前記現用ファイバ収納空間とが、前記ファイバガイドによって区分けされることを特徴とする光配線盤。
【請求項２】
成端ユニットの融着トレーは、コネクタモジュールの下に複数積層して設けられ、それぞれ、成端ユニット前面側に引き出し可能になっていることを特徴とする請求項１の光配線盤。
【請求項３】
融着トレーには、前記ファイバガイド（７）が着脱可能に取り付けられるファイバガイド取付部（３５６）と、融着部ホルダが着脱可能に取り付けられる融着部ホルダ取付部（３５７）とが、それぞれ、左右方向に離隔した２カ所に設けられ、前記ファイバガイド及び前記融着部ホルダの左右移設が可能であることを特徴とする請求項１または２に記載の光配線盤。
【請求項４】
前記ファイバガイドは細長形状に形成されており、
前記未接続ファイバ収納空間と前記現用ファイバ収納空間とが、前記ファイバガイド取付部に取り付けて前記融着トレーの底板（３５１）上に成端ユニット前後方向に延在するように設けられた前記ファイバガイドによって区分けされることを特徴とする請求項１〜３のうちいずれか１項に記載の光配線盤。
【請求項５】
前記接続用光ファイバは、多心テープファイバ部（３２１）と、この多心テープファイバ部の片端を複数に分岐した分岐ファイバ部（３２２）とを具備し、各分岐ファイバ部の先端が前記光コネクタによってコネクタ接続可能とされており、
前記接続用光ファイバの多心テープファイバ部に、前記導入光ファイバである多心光ファイバテープ心線が融着接続されることを特徴とする請求項１〜４のいずれかに記載の光配線盤。
【手続補正２】
【補正対象書類名】明細書
【補正対象項目名】０００７
【補正方法】変更
【補正の内容】
【０００７】
上記課題を解決するために、本発明では以下の構成を提供する。
第１の発明では、光コネクタが設けられたコネクタモジュールを上部に、光ファイバ同士の融着接続部の収納用の融着トレーを下部に配置した構成の成端ユニットが上下多段に設けられ、前記成端ユニットの前記コネクタモジュールは、前面側に前記光コネクタが複数配列設置され、背面側から、前記光コネクタによってコネクタ接続可能に成端された光ファイバが延出されていて、該光ファイバの前記コネクタモジュールから延出された端部が前記融着トレー内に引き込まれて収納され、前記融着トレーは、前記コネクタモジュールから引き込まれた光ファイバである接続用光ファイバと、該融着トレーに別途引き込んで前記接続用光ファイバと接続する光ファイバである導入光ファイバとの融着接続部を収納可能であり、前記融着トレーは、前記コネクタモジュールから引き込まれた前記接続用光ファイバの内の、前記導入光ファイバと接続していない保留光ファイバを収納する未接続ファイバ収納空間と、融着接続によって互いに接続された接続用光ファイバ及び導入光ファイバを収納する現用ファイバ収納空間と、前記融着接続部を保持する融着部ホルダとを具備し、前記未接続ファイバ収納空間と前記現用ファイバ収納空間とは、前記融着トレーの底板上の互いに異なる位置に確保され、前記融着トレーには、コネクタモジュールから導入される接続用光ファイバ用のファイバガイドが取り付けられ、前記未接続ファイバ収納空間と前記現用ファイバ収納空間とが、前記ファイバガイドによって区分けされることを特徴とする光配線盤を提供する。
第２の発明では、成端ユニットの融着トレーは、コネクタモジュールの下に複数積層して設けられ、それぞれ、成端ユニット前面側に引き出し可能になっていることを特徴とする第１の発明の光配線盤を提供する。
第３の発明では、融着トレーには、前記ファイバガイドが着脱可能に取り付けられるファイバガイド取付部と、融着部ホルダが着脱可能に取り付けられる融着部ホルダ取付部とが、それぞれ、左右方向に離隔した２カ所に設けられ、前記ファイバガイド及び前記融着部ホルダの左右移設が可能であることを特徴とする第１または第２の発明の光配線盤を提供する。
第４の発明では、前記ファイバガイドは細長形状に形成されており、前記未接続ファイバ収納空間と前記現用ファイバ収納空間とが、前記ファイバガイド取付部に取り付けて前記融着トレーの底板上に成端ユニット前後方向に延在するように設けられた前記ファイバガイドによって区分けされることを特徴とする第１〜３のいずれかの発明の光配線盤を提供する。
第５の発明では、前記接続用光ファイバは、多心テープファイバ部と、この多心テープファイバ部の片端を複数に分岐した分岐ファイバ部とを具備し、各分岐ファイバ部の先端が前記光コネクタによってコネクタ接続可能とされており、前記接続用光ファイバの多心テープファイバ部に、前記導入光ファイバである多心光ファイバテープ心線が融着接続されることを特徴とする第１〜４のいずれかの発明の光配線盤を提供する。
【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
光コネクタ（３１、３１１、３２４）が設けられたコネクタモジュール（３３）を上部に、光ファイバ同士の融着接続部（３４）の収納用の融着トレー（３５）を下部に配置した構成の成端ユニット（３）が上下多段に設けられ、
前記成端ユニットの前記コネクタモジュールは、前面側に前記光コネクタが複数配列設置され、背面側から、前記光コネクタによってコネクタ接続可能に成端された光ファイバ（３２）が延出されていて、該光ファイバの前記コネクタモジュールから延出された端部が前記融着トレー内に引き込まれて収納され、
前記融着トレーは、前記コネクタモジュールから引き込まれた光ファイバである接続用光ファイバ（３２）と、該融着トレーに別途引き込んで前記接続用光ファイバと接続する光ファイバである導入光ファイバ（４１）との融着接続部（３４）を収納可能であり、
前記融着トレーは、前記コネクタモジュールから引き込まれた前記接続用光ファイバの内の、前記導入光ファイバと接続していない保留光ファイバ（３２ａ１）を収納する未接続ファイバ収納空間（３５３ａ）と、融着接続によって互いに接続された接続用光ファイバ及び導入光ファイバを収納する現用ファイバ収納空間（３５３ｂ）と、前記融着接続部を保持する融着部ホルダ（８）とを具備し、
前記未接続ファイバ収納空間と前記現用ファイバ収納空間とは、前記融着トレーの底板（３５１）上の互いに異なる位置に確保され、
前記融着トレーには、コネクタモジュールから導入される接続用光ファイバ用のファイバガイド（７）が取り付けられ、
前記未接続ファイバ収納空間と前記現用ファイバ収納空間とが、前記ファイバガイドによって区分けされ、
前記ファイバガイドは細長形状に形成されており、
前記未接続ファイバ収納空間と前記現用ファイバ収納空間とが、前記ファイバガイド取付部に取り付けて前記融着トレーの底板（３５１）上に成端ユニット前後方向に延在するように設けられた前記ファイバガイドによって区分けされることを特徴とする光配線盤。
【請求項２】
成端ユニットの融着トレーは、コネクタモジュールの下に複数積層して設けられ、それぞれ、成端ユニット前面側に引き出し可能になっていることを特徴とする請求項１の光配線盤。
【請求項３】
融着トレーには、前記ファイバガイド（７）が着脱可能に取り付けられるファイバガイド取付部（３５６）と、融着部ホルダが着脱可能に取り付けられる融着部ホルダ取付部（３５７）とが、それぞれ、左右方向に離隔した２カ所に設けられ、前記ファイバガイド及び前記融着部ホルダの左右移設が可能であることを特徴とする請求項１または２に記載の光配線盤。
【請求項４】
前記接続用光ファイバは、多心テープファイバ部（３２１）と、この多心テープファイバ部の片端を複数に分岐した分岐ファイバ部（３２２）とを具備し、各分岐ファイバ部の先端が前記光コネクタによってコネクタ接続可能とされており、
前記接続用光ファイバの多心テープファイバ部に、前記導入光ファイバである多心光ファイバテープ心線が融着接続されることを特徴とする請求項１〜３のいずれかに記載の光配線盤。
【手続補正２】
【補正対象書類名】明細書
【補正対象項目名】０００７
【補正方法】変更
【補正の内容】
【０００７】
上記課題を解決するために、本発明では以下の構成を提供する。
第１の発明では、光コネクタが設けられたコネクタモジュールを上部に、光ファイバ同士の融着接続部の収納用の融着トレーを下部に配置した構成の成端ユニットが上下多段に設けられ、前記成端ユニットの前記コネクタモジュールは、前面側に前記光コネクタが複数配列設置され、背面側から、前記光コネクタによってコネクタ接続可能に成端された光ファイバが延出されていて、該光ファイバの前記コネクタモジュールから延出された端部が前記融着トレー内に引き込まれて収納され、前記融着トレーは、前記コネクタモジュールから引き込まれた光ファイバである接続用光ファイバと、該融着トレーに別途引き込んで前記接続用光ファイバと接続する光ファイバである導入光ファイバとの融着接続部を収納可能であり、前記融着トレーは、前記コネクタモジュールから引き込まれた前記接続用光ファイバの内の、前記導入光ファイバと接続していない保留光ファイバを収納する未接続ファイバ収納空間と、融着接続によって互いに接続された接続用光ファイバ及び導入光ファイバを収納する現用ファイバ収納空間と、前記融着接続部を保持する融着部ホルダとを具備し、前記未接続ファイバ収納空間と前記現用ファイバ収納空間とは、前記融着トレーの底板上の互いに異なる位置に確保され、前記融着トレーには、コネクタモジュールから導入される接続用光ファイバ用のファイバガイドが取り付けられ、前記未接続ファイバ収納空間と前記現用ファイバ収納空間とが、前記ファイバガイドによって区分けされ、前記ファイバガイドは細長形状に形成されており、前記未接続ファイバ収納空間と前記現用ファイバ収納空間とが、前記ファイバガイド取付部に取り付けて前記融着トレーの底板上に成端ユニット前後方向に延在するように設けられた前記ファイバガイドによって区分けされることを特徴とする光配線盤を提供する。
第２の発明では、成端ユニットの融着トレーは、コネクタモジュールの下に複数積層して設けられ、それぞれ、成端ユニット前面側に引き出し可能になっていることを特徴とする第１の発明の光配線盤を提供する。
第３の発明では、融着トレーには、前記ファイバガイドが着脱可能に取り付けられるファイバガイド取付部と、融着部ホルダが着脱可能に取り付けられる融着部ホルダ取付部とが、それぞれ、左右方向に離隔した２カ所に設けられ、前記ファイバガイド及び前記融着部ホルダの左右移設が可能であることを特徴とする第１または第２の発明の光配線盤を提供する。
第４の発明では、前記接続用光ファイバは、多心テープファイバ部と、この多心テープファイバ部の片端を複数に分岐した分岐ファイバ部とを具備し、各分岐ファイバ部の先端が前記光コネクタによってコネクタ接続可能とされており、前記接続用光ファイバの多心テープファイバ部に、前記導入光ファイバである多心光ファイバテープ心線が融着接続されることを特徴とする第１〜３のいずれかの発明の光配線盤を提供する。